(57)【要約】【課題】会話時には飛沫の飛散を抑制し、飲食を容易にすることが可能な会食に適したフェイスシールドを提供する。【解決手段】両側のテンプル１０と、テンプル１０を繋ぐリム１２と、リム１２に対して回動可能に設けられたシールドフレーム１６と、シールドフレーム１６に取り付けられたシールド本体１８と、を備えるフェイスシールド１００とする。【選択図】図１
0003231039.tif 000002
【実用新案登録請求の範囲】
【請求項１】
両側のテンプルと、
前記テンプルを繋ぐリムと、
前記リムに対して回動可能に設けられたシールドフレームと、
前記シールドフレームに取り付けられたシールド本体と、
を備えることを特徴とするフェイスシールド。
【請求項２】
請求項１に記載のフェイスシールドであって、
使用時において、前記シールド本体を使用者の口及び鼻を覆う閉状態から覆わない開状態となる回動方向に前記シールドフレームに対して付勢力を与える付勢部材を備えることを特徴とするフェイスシールド。
【請求項３】
請求項２に記載のフェイスシールドであって、
前記閉状態において前記シールドフレームの回動を止めるロック機構を備え、
前記ロック機構を開放すると、前記付勢部材の付勢力によって前記閉状態から前記開状態へ前記シールドフレームが回動されることを特徴とするフェイスシールド。
【考案の詳細な説明】
【技術分野】
【０００１】
本考案は、会食に適したフェイスシールドに関する。
【背景技術】
【０００２】
現在、新型コロナ感染症（ＣＯＶＩＤ−１９）により、感染防止対策としてマスク・手洗い・換気等の対策が重要視されている。特に、会食時における口や鼻からの飛沫及びミスト等が感染拡大の一因に挙げられている。会食時に於いてもマスクを装着した状態で臨み、飲食時のみマスクを外して食し、会話時には再びマスクを装着して食事する事が感染防止に有効とされており「マスク会食」と言う言葉まで誕生している。
【考案の概要】
【考案が解決しようとする課題】
【０００３】
しかしながら、「マスク会食」を実際に行おうとした場合、従来の紐で耳に装着するマスクでは、マスクを外し、箸又はフォーク等で食物を口内に入れ、再度マスクを装着してから会話する必要がある。その際、外したマスクの置き場所に困ったり、マスクの着脱が面倒だったりして、実際には「マスク会食」は実行され難いのが実情である。
【０００４】
本考案は、会話時には飛沫の飛散を抑制し、飲食を容易にすることが可能な会食に適したフェイスシールドを提供することを目的とする。
【課題を解決するための手段】
【０００５】
本考案の１つの態様は、両側のテンプルと、前記テンプルを繋ぐリムと、前記リムに対して回動可能に設けられたシールドフレームと、前記シールドフレームに取り付けられたシールド本体と、を備えることを特徴とするフェイスシールドである。
【０００６】
ここで、使用時において、前記シールド本体を使用者の口及び鼻を覆う閉状態から覆わない開状態となる回動方向に前記シールドフレームに対して付勢力を与える付勢部材を備えることが好適である。
【０００７】
また、前記閉状態において前記シールドフレームの回動を止めるロック機構を備え、前記ロック機構を開放すると、前記付勢部材の付勢力によって前記閉状態から前記開状態へ前記シールドフレームが回動されることが好適である。
【考案の効果】
【０００８】
本考案によれば、会話時には飛沫の飛散を抑制し、飲食を容易にすることが可能な会食に適したフェイスシールドを提供することができる。
【図面の簡単な説明】
【０００９】
【図１】本考案の実施の形態におけるフェイスシールドの構成を示す図である。
【図２】本考案の実施の形態におけるフェイスシールドの構成を示す図である。
【図３】本考案の実施の形態におけるフェイスシールドの使用状態を示す図である。
【図４】本考案の実施の形態におけるフェイスシールドの使用状態を示す図である。
【図５】本考案の実施の形態におけるフェイスシールドの使用状態を示す図である。
【図６】本考案の実施の形態におけるフェイスシールドの開閉機構の例を示す図である。
【図７】本考案の実施の形態におけるフェイスシールドの開閉機構の例を示す図である。
【図８】本考案の実施の形態におけるシールド本体の着脱機構の例を示す図である。
【図９】別の実施の形態におけるフェイスシールドの構成を示す図である。
【考案を実施するための形態】
【００１０】
本考案の実施の形態におけるフェイスシールド１００は、図１及び図２に示すように、テンプル１０、リム１２、ノーズパッド１４、シールドフレーム１６、シールド本体１８及びシールドボタン２０を含んで構成される。図１はシールド本体１８で使用者の口や鼻
を覆うときの状態（以下、閉状態という）を示し、図２はシールド本体１８で使用者の口や鼻を覆っていない状態（以下、開状態という）を示す。
【００１１】
図３及び図４は、使用者がフェイスシールド１００を装着して使用している状況を示す。図３は、使用者からの飛沫の飛散を防ぐようにシールド本体１８で口と鼻を覆っている閉状態を示している。図４は、シールド本体１８を上げて口と鼻を覆っていない開状態を示している。このように開状態とすることで、会食時等において即座に飲食が可能な状態とすることができる。
【００１２】
テンプル１０は、使用者がフェイスシールド１００を使用する際に使用者の耳やこめかみに掛けられる部分である。テンプル１０は、リム１２の両端に設けられる。リム１２は、２つのテンプル１０を繋ぐ部分である。テンプル１０とリム１２との間にフレームを折り畳むためのヒンジを設けることによって、リム１２に対してテンプル１０を折り畳んでコンパクトな状態にすることができる。また、リム１２の中心付近にはノーズパッド１４が設けられる。フェイスシールド１００の使用時において、ノーズパッド１４が使用者の鼻に当たるようにしつつ、テンプル１０を使用者の耳やこめかみに掛けることによって、眼鏡を掛けるようにフェイスシールド１００を使用者の顔に装着することができる。
【００１３】
テンプル１０及びリム１２の材質は、特に限定されるものではなく、樹脂、金属等とすることができる。なお、テンプル１０は、使用者の耳やこめかみのラインに合わせて変形できるような材質とすることが好適である。
【００１４】
なお、ノーズパッド１４の高さを適切に設定することによって、図５に示すように、使用者が眼鏡２００を掛けた状態であってもフェイスシールド１００を装着することができる。これによって、眼鏡を掛けている使用者であっても、普段の視界を維持した状態でフェイスシールド１００を使用することができる。同様に、目を保護する保護用眼鏡やゴーグル等を使用している際でもフェイスシールド１００を併用することができる。
【００１５】
リム１２には、シールドフレーム１６を介してシールド本体１８が装着される。シールドフレーム１６は、リム１２にシールド本体１８を取り付けると共に、シールド本体１８を開閉させるための部分である。すなわち、リム１２に対してシールドフレーム１６を回動させることによってシールド本体１８を開状態又は閉状態とすることができる。
【００１６】
シールド本体１８は、使用者の口及び鼻を覆って飛沫の飛散を妨げるための部分である。シールド本体１８を構成する素材は、特に限定されるものではないが、軽い素材とすることが好適である。後述するフェイスシールド１００の開閉機構をコンパクトに構成するためには、シールド本体１８の全体重量は５ｇ以下とすることが好適である。例えば、シールド本体１８は、ポリプロピレン、ポリエチレン等の樹脂材料、ガラス、金属、紙、不織布で構成することができる。
【００１７】
また、シールド本体１８は、会食の会話時等において使用者の口の動きや表情を確認できるように透明又は半透明とすることが好適である。ただし、これに限定されるものではなく、シールド本体１８を不透明にしてもよい。
【００１８】
また、シールド本体１８の形状は、フェイスシールド１００が閉状態にあるときに使用者の口と鼻を覆うことができる形状であればよい。例えば、シールド本体１８は、平板形状、椀形状、半球形状等とすることができる。ただし、呼吸を妨げず、効率的に飛沫の飛散を防止するためには椀形状とすることが好適である。
【００１９】
図６及び図７は、フェイスシールド１００におけるシールド本体１８の開閉機構の詳細を示す図である。図６は、シールド本体１８が開かれている状態を示し、図７は、シールド本体１８が閉められている状態を示す。
【００２０】
シールドフレーム１６は、ヒンジ２４を介してリム１２に接続されている。ヒンジ２４は、ヒンジピン２４ａ及び板ばね２４ｂを含んで構成される。ヒンジ２４は、両端にヒンジピン２４ａを備えており、ヒンジピン２４ａによってリム１２に対して回動が可能な状態で取りつけられる。さらに、ヒンジ２４に対してシールドフレーム１６が取り付けられる。このような構成とすることによって、リム１２に対してヒンジ２４を回動させることで、リム１２に対してシールドフレーム１６及びそれに取り付けられたシールド本体１８を回動させることができる。
【００２１】
また、ヒンジ２４とリム１２との間に板ばね２４ｂが接続される。板ばね２４ｂは、ヒンジ２４がリム１２に対して回動するように付勢力を与える付勢部材として機能する。具体的には、板ばね２４ｂは、シールド本体１８が閉状態から開状態になるような回転方向にヒンジ２４を付勢する。
【００２２】
なお、本実施の形態のフェイスシールド１００では板ばね２４ｂを用いたが、これに限定されるものではなく、リム１２とヒンジ２４との間に回転の付勢力を与えられる構成であればよい。例えば、板ばね２４ｂに代えてコイルばね等の他の弾性体としてもよい。
【００２３】
また、リム１２とシールドフレーム１６とを回転の付勢力を与えられる樹脂等の弾性体で接続した構成としてもよい。リム１２に対して取り付けられたシールドフレーム１６の根元部分を樹脂等の弾性部分とし、閉状態では当該弾性部分が曲げられ、開状態では当該弾性部分が伸展することで閉状態から開状態への付勢力が発生するような構成としてもよい。
【００２４】
フェイスシールド１００の開閉機構には、ロック機構を設けることが好適である。例えば、図６及び図７に示すように、シールドフレーム１６側にロック用爪２２を設け、フェイスシールド１００を閉状態にしたときにロック用爪２２がリム１２に係止される構成とする。これによって、板ばね２４ｂによる付勢力によってヒンジ２４、シールドフレーム１６及びシールド本体１８が開状態に戻ってしまわないようにすることができる。
【００２５】
また、リム１２にはシールドボタン２０を設け、使用者がシールドボタン２０を操作することによってリム１２に対するロック用爪２２の係止が開放される。このとき、板ばね２４ｂによってヒンジ２４が回動され、シールド本体１８を容易に閉状態から開状態とされる。例えば、会食をしている際の飲食時にシールドボタン２０を操作することによって、ロック用爪２２によるロックが解除されてシールド本体１８が板ばね２４ｂによって跳ね上げられて即座に飲食が可能な状態になる。
【００２６】
なお、シールド本体１８はシールドフレーム１６に取り付けて簡単に交換できる構成とすることが好適である。本実施の形態のフェイスシールド１００では、シールドフレーム１６にシールド着脱用ピン２６を設け、シールド着脱用ピン２６にシールド本体１８を取り付ける構成としている。例えば、図８の拡大断面図に示すように、シールド本体１８に取り付け用穴１８ａを設けておき、シールドフレーム１６に設けられたシールド着脱用ピン２６を取り付け用穴１８ａに通す構成とすることでシールド本体１８をシールドフレーム１６に取り付け又は取り外しすることができる。このとき、シールド着脱用ピン２６の先端に取り付け用穴１８ａより若干大きい径を有する突起部を設けておき、シールド本体１８の取り付け用穴１８ａ及びシールド着脱用ピン２６の材料の弾性を利用してシールド着脱用ピン２６を取り付け用穴１８ａに通すことで、取り付けられたシールド本体１８がシールドフレーム１６から容易に外れることを防ぐことができる。
【００２７】
ただし、シールド本体１８の着脱機構は、当該構成に限定されるものではなく、シールドフレーム１６に対してシールド本体１８が着脱可能となるものであればよい。例えば、シールドフレーム１６にクリップを設けておき、当該クリップによってシールド本体１８を挟み込んでシールドフレーム１６に取り付けるような構成としてもよい。
【００２８】
このように、シールドフレーム１６に対してシールド本体１８を着脱可能な構成とすることによって、シールド本体１８の交換が容易となり、シールド本体１８を清潔に保つことができる。また、シールド本体１８以外のフェイスシールド１００の構成を一体構造にしておくことによって除菌及び洗浄が容易になる。
【００２９】
以上のように、本実施の形態におけるフェイスシールド１００によれば、会話時には口や鼻からの飛沫の飛散を抑制し、飲食を容易にすることが可能な会食に適したフェイスシールドを提供することができる。
【００３０】
なお、本実施の形態におけるフェイスシールド１００では、リム１２を回転軸としてシールドフレーム１６に取り付けられたシールド本体１８を跳ね上げて開状態とする構成を示した。しかしながら、本考案の範囲は、これに限定されるものではない。
【００３１】
図９は、別の態様におけるフェイスシールド１０２を示す。フェイスシールド１０２では、図９に示すように、シールド本体１８が開状態と閉状態との間において面内回転できるようにシールドフレーム１６がリム１２に対して取り付けられている。
【００３２】
フェイスシールド１０２においても、リム１２に対してシールドフレーム１６を閉状態から開状態へと付勢する付勢部材を設けておくことが好適である。また、閉状態においてリム１２に対してシールドフレーム１６をロックするロック機構を設けることが好適である。
【００３３】
このような構成においても、会話時には口や鼻からの飛沫の飛散を抑制し、飲食を容易にすることが可能な会食に適したフェイスシールドを提供することができる。
【符号の説明】
【００３４】
１０  テンプル、１２  リム、１４  ノーズパッド、１６  シールドフレーム、１８  シールド本体、１８ａ  取り付け用穴、２０  シールドボタン、２２  ロック用爪、２４  ヒンジ、２４ａ  ヒンジピン、２６  シールド着脱用ピン、１００  フェイスシールド、１０２  フェイスシールド、２００  眼鏡。
【図１】
0003231039.tif 000003
【図２】
0003231039.tif 000004
【図３】
0003231039.tif 000005
【図４】
0003231039.tif 000006
【図５】
0003231039.tif 000007
【図６】
0003231039.tif 000008
【図７】
0003231039.tif 000009
【図８】
0003231039.tif 000010
【図９】
0003231039.tif 000011